(57)【要約】【課題】  携帯式電子装置に内蔵された撮像レンズがもたらす撮影と操作の不便性を改善できる、撮像レンズに着脱可能な取り合い装置を提供すること。【解決手段】  撮像レンズ(３)の外部に接続し、携帯式電子装置(４)と信号を伝送する撮像レンズに着脱可能な無線または有線の取り合い装置(１)であって、外付け式撮像レンズ(３)に接続可能であり、携帯式電子装置(４)との間でアンテナまたは電源信号線により信号を送受信する通信モジュールと、中央演算装置と、電源装置と、外部の音声を受信する集音装置とを具備し、外付け式撮像レンズ(３)の映像信号や集音装置の音声信号を、外部へ発信し、携帯式電子装置(４)の制御信号を受信して外付け式撮像レンズ(３)を操作する。【選択図】  図１
0003110282.tif 000002
【実用新案登録請求の範囲】
【請求項１】
撮像レンズ(３)の外部に接続し、携帯式電子装置(４)と信号を伝送する以下のハードウエアにより構成される、撮像レンズに着脱可能な無線式の取り合い装置であって、
外付け式撮像レンズ(３)の差し込み(３１)に接続してレンズに外付けするためのスロット(１１)と、
無線取り合い装置(１)の中央演算装置(１３)から音声信号、映像信号を受信して処理した上、その信号をその無線取り合い装置(１)のアンテナ(１７)より発信する、無線通信モジュール(１２)と、
外付け式撮像レンズ(３)の映像信号を受信して処理すると共に、集音装置(１５)の音声信号、及びアンテナ(１７)より受信した携帯式電子装置(４)の制御信号を処理する、中央演算装置(１３)と、
無線取り合い装置(１)及び外付け式撮像レンズ(３)に電力を供給する、電源装置(１４)と、
外部の音声を受信する、集音装置(１５)と、
無線通信モジュール(１２)によって処理された映像・音声信号を外部に発信し、その携帯式電子装置(４)の制御信号を受信し、制御信号は無線通信モジュール(９２)に伝送して、処理を行うアンテナ(１７)と、
その電源装置(１４)の起動及び中止の働きを有する電源スイッチ(１８)を具備した、
撮像レンズに着脱可能な取り合い装置。
【請求項２】
取り合い装置(１)は、さらに外付けレンズ・アダプタ(１９)を有し、その一端を外付け式撮像レンズ(３)に接続し、もう一端はその無線取り合い装置(１)の外付けレンズスロット(１１)に接続することを特徴とする、請求項１に記載の撮像レンズに着脱可能な取り合い装置。
【請求項３】
外付け式撮像レンズ(３)と携帯式電子装置(４)の間に取り付ける有線式の取り合い装置(２)であって、前記取り合い装置(２)は、主にレンズに外付けするためのスロット(２１)と、電源信号線(２２)及び差し込み(２３)とより構成し、電源信号線(２２)の両端は、スロット(２１)及び差し込み(２３)と夫々接続して固定し、差し込み(２３)は携帯式電子装置(４)のスロット(４１)に接続し、外付けレンズスロット(２１)は、外付け式撮像レンズ(３)の差し込み(３１)に接続することを特徴とする、請求項１記載の撮像レンズに着脱可能な取り合い装置。
【考案の詳細な説明】
【技術分野】
【０００１】
本考案は携帯式通信又はＩＴ製品と外付け式撮像レンズとの間に取り付ける無線式または有線式の撮像レンズに着脱可能な取り合い装置（インターフェース）である。
【背景技術】
【０００２】
公知の携帯式電子装置の撮影や撮像機能は、一般にレンズを装置の内部に取り付けてある。利用者は撮影や撮像機能を動作させるには、手でその携帯式電子装置を持ちながら、その撮像レンズを写したい場所に向けること他、撮影するシーンによっては体を動かし、携帯式電子装置のディスプレイ又はビューファインダを覗いて、撮影機能や撮像機能の操作をしなければならない。このような操作の方式は利用者のからだ又は携帯式電子装置の移動に不都合があるときは、利用者が写したい影像を撮ることができず、満足な撮影や撮像効果を得ることができない。
【考案の開示】
【考案が解決しようとする課題】
【０００３】
本考案は以上の点に鑑みて成されたもので、前記の携帯式電子装置に内蔵された撮像レンズがもたらす撮影と操作の不便性を改善できる、撮像レンズに着脱可能な無線取り合い装置を提供することを目的とする。
【課題を解決するための手段】
【０００４】
本考案は撮像レンズと携帯式電子装置を分離して置き、両者の間に取り合い装置で接続する。その取り合い装置は有線と無線の２種類があり、レンズによる撮影操作と、レンズによる画像確認と撮影操作の機能を夫々に独立させる。
【０００５】
本考案は携帯式電子装置と外付けの固定式撮像レンズの間に、有線又は無線の取り合い装置を設けて、撮像レンズと携帯式電子装置を分離して置き、レンズによる撮影操作及びレンズによる画像確認と撮影操作の機能を夫々に独立させる。
【０００６】
すなわち、本願の第１考案は、撮像レンズ(３)の外部に接続し、携帯式電子装置(４)と信号を伝送する以下のハードウエアにより構成される、撮像レンズに着脱可能な無線式の取り合い装置であって、外付け式撮像レンズ(３)の差し込み(３１)に接続してレンズに外付けするためのスロット(１１)と、無線取り合い装置(１)の中央演算装置(１３)から音声信号、映像信号を受信して処理した上、その信号をその無線取り合い装置(１)のアンテナ(１７)より発信する、無線通信モジュール(１２)と、外付け式撮像レンズ(３)の映像信号を受信して処理すると共に、集音装置(１５)の音声信号、及びアンテナ(１７)より受信した携帯式電子装置(４)の制御信号を処理する、中央演算装置(１３)と、無線取り合い装置(１)及び外付け式撮像レンズ(３)に電力を供給する、電源装置(１４)と、外部の音声を受信する、集音装置(１５)と、無線通信モジュール(１２)によって処理された映像・音声信号を外部に発信し、その携帯式電子装置(４)の制御信号を受信し、制御信号は無線通信モジュール(９２)に伝送して、処理を行うアンテナ(１７)と、その電源装置(１４)の起動及び中止の働きを有する電源スイッチ(１８)を具備した、撮像レンズに着脱可能な取り合い装置を提供する。
【０００７】
さらに本願の第２考案は、前記した第１考案において、取り合い装置(１)は、さらに外付けレンズ・アダプタ(１９)を有し、その一端を外付け式撮像レンズ(３)に接続し、もう一端はその無線取り合い装置(１)の外付けレンズスロット(１１)に接続することを特徴とする、請求項１に記載の撮像レンズに着脱可能な取り合い装置を提供する。
【０００８】
さらに本願の第３考案は、撮像レンズ(３)の外部に接続し、携帯式電子装置(４)と信号を伝送する以下のハードウエアにより構成される、撮像レンズに着脱可能な無線式の取り合い装置であって、外付け式撮像レンズ(３)と携帯式電子装置(４)の間に取り付ける有線取り合い装置(２)を具備し、前記有線取り合い装置(２)は、主にレンズに外付けするためのスロット(２１)と、電源信号線(２２)及び差し込み(２３)とより構成し、電源信号線(２２)の両端は、スロット(２１)及び差し込み(２３)と夫々接続して固定し、差し込み(２３)は携帯式電子装置(４)のスロット(４１)に接続し、外付けレンズスロット(２１)は、外付け式撮像レンズ(３)の差し込み(３１)に接続することを特徴とする、撮像レンズに着脱可能な取り合い装置を提供する。
【考案の効果】
【０００９】
本考案は携帯式電子装置と外付けの固定式撮像レンズの間に、有線式又は無線式の取り合い装置を設けて、撮像レンズと携帯式電子装置を分離して置き、レンズによる撮影操作及びレンズによる画像確認と撮影操作の機能をそれぞれに独立させることによって、様々な操作や類似の操作を可能として、需要に応えることができる。
【００１０】
本考案は固定式外付け撮像レンズの従来の使用方式を維持できる。
有線式又は無線式の取り合い装置を固定式外付け撮像レンズと携帯式電子装置に接続するソケットが同一であるため、利用者は固定式外付け撮像レンズのすべての機能を維持できるほか、この取り合い装置及び必要なアダプタを取り付けることにより、着脱式の操作機能が得られる。
この取り合い装置を使用すれば、操作機能が飛躍的に向上させることができるため、僅かな投資で一つの製品を多機能に使用できるといった付加価値を付与できる。
【考案を実施するための最良の形態】
【００１１】
図１、２に本考案に係る無線式の取り合い装置１の実施例を示す。
レンズを外付けするためのスロット１１は、外付け式撮像レンズ３の差し込み３１の挿入のために機能する。
【００１２】
無線通信モジュール１２は、無線取り合い装置１に内蔵した中央演算装置１３の信号を処理した後、無線取り合い装置１上に設けたアンテナ１７を介して外部に発信する。
アンテナ１７により、携帯式電子装置４の信号を受信及び処理した後、中央演算装置１３に伝送して、信号の解読及びその後の処理を行う。
無線取り合い装置１の機能の多元化を図るため、その無線通信モジュール１２は、区域内の無線ネットワーク、ブルートウス無線通信又は赤外線無線伝送など様々な機能を、一種以上の無線伝送機能を選択的に取り入れて、タイプ又メーカーより提供する携帯式通信、又は情報製品の必要な取り合い伝送機能を提供する。
【００１３】
前記の中央演算装置１３の主な機能は、外付け式撮像レンズ３の影像信号と集音装置１５の音声信号とを出力処理した後、無線通信モジュール１２を介して、アンテナ１７から外部に発信するために機能する。一方、無線通信モジュール１２によって処理された信号を中央演算装置１３に伝送して、外付け式撮像レンズ３などの制御処理指令を伝送する。
【００１４】
電源装置１４は、すべての装置に電力を提供するもので、無線取り合い装置１に外付け式電源ソケット１４１を取り付け、その内部に必要な給電回路を設けて、外部より各装置の必要な電力を提供する。
【００１５】
集音装置１５は、無線取り合い装置１に取り付け、外部の音声を受信し、中央演算装置１３に伝送して、信号の出力処理を行う。
【００１６】
モード指示灯１６は、無線取り合い装置１の電源状態及び取り合い装置の伝送処理状況を表示する。
【００１７】
アンテナ１７は、無線通信モジュール１２の信号を外部に発信したり、外部からの信号を受信する。無線通信モジュール１２に、一種以上の無線伝送機能を具備させる場合は、伝送機能に見合ったアンテナをそれぞれに取り付ける。
電源スイッチ１８は、無線取り合い装置１の電源供給のオン又はオフを切り換える。
【００１８】
外付けレンズ・アダプタ１９は、外付け式撮像レンズ３のスロットと無線取り合い装置１の外付けレンズスロット１１の規格が異なるときに取り付ける。外付けレンズ・アダプタ１９の一端はスロット１９１を形成し、もう一端には差し込み１９２を形成する。
スロット１９１は外付け式撮像レンズ３の差し込みの挿入し、差し込み１９２は無線取り合い装置１の外付けレンズスロット１１に挿入して使用する。
【００１９】
外付け式撮像レンズ３は、無線式の取り合い装置１に挿入して接続する。外付け式撮像レンズ３の差し込みと無線取り合い装置のスロットの規格が異なるときは、両者の間に外付けレンズ・アダプタ１９を取り付けて接続する。
【００２０】
無線式の取り合い装置１と携帯式電子装置４の電源をオンに切り換えて、外付け式撮像レンズ３に接続した無線取り合い装置１を適切な場所に置き、レンズ３を撮影したい方向に向けた後、携帯式電子装置４の撮影機能や撮像機能を操作して撮影や撮像をする。レンズ３によって捕らえた影像は無線式の取り合い装置１を介して、携帯式電子装置４に伝送し、携帯式電子装置４のディスプレイ上に、この画面を表示させる。
【００２１】
図３、４に有線式の有線取り合い装置を示す。
有線式の取り合い装置２の一端は外付け式撮像レンズ３に接続し、もう一端は携帯式電子装置４に接続する。
【００２２】
有線式の取り合い装置２は、レンズ３に外付けするためのスロット２１と、電源信号線２２及び差し込み２３により構成される。電源信号線２２の両端は、ロット２１及び差し込み２３にそれぞれ接続して固定する。差し込み２３は携帯式電子装置４に接続し固定する。
【００２３】
有線式の取り合い装置２の信号回路により、レンズに捕らえた影像を携帯式電子装置４に伝送し、携帯式電子装置４のディスプレイに画像を表示させる。
撮影や撮像機能操作信号も有線取り合い装置２の信号回路を介して、外付け式撮像レンズ３に伝送する。携帯式電子装置４の電源装置は、有線取り合い装置２の電源回路により、外付け式撮像レンズ３に必要な電力を供給する。
【００２４】
前記の標準構成を基礎に、携帯式電子装置４のスロット４１と外付け式撮像レンズ３のソケットの規格に従い、適切なアダプタを選択する。
アダプタは、外付けレンズ・アダプタ１９と携帯式電子装置アダプタ２４とを含む。外付けレンズ・アダプタ１９の一端は同規格の有線取り合い装置２のスロット２１に挿入し、もう一端は外付け式撮像レンズ３の差し込みに挿入する。
【００２５】
携帯式電子装置アダプタ２４の一端は、携帯式電子装置４の外付けレンズスロット４１に挿入し、もう一端は有線式の取り合い装置２の差し込み２３を挿入する。
有線式の取り合い装置２は、外付けレンズ着脱式固定台２５を設ける。固定台２５は据え置き台座２５２及び上方に垂直設けた２本の挿し棒２５１で構成する。
有線式の取り合い装置２の外付けレンズスロット２１の両側にソケット２１１を設け、ソケット２１１にそれぞれ挿し棒２５１を挿入して、外付け式撮像レンズ３の固定を完了する。
そして、固定台２５と外付け式撮像レンズ３を適切な位置に置いて、前記した撮影機能の操作や撮像機能を操作を行う。
【図面の簡単な説明】
【００２６】
【図１】本考案の実施例の無線取り合い装置の動作概略図。
【図２】本考案の実施例の無線取り合い装置の外観概略図。
【図３】本考案の実施例の有線取り合い装置の動作概略図。
【図４】本考案の実施例の有線取り合い装置の外観概略図。
【符号の説明】
【００２７】
１・・・・・・無線式の取り合い装置
１１・・・・・外付けレンズ標準スロット
１２・・・・・無線通信モジュール
１３・・・・・中央演算装置
１４・・・・・電源装置
１５・・・・・集音装置
１６・・・・・モード指示灯
１７・・・・・アンテナ
１８・・・・・電源スイッチ
１９・・・・・外付けレンズ・アダプタ
１９１・・・・レンズ・アダプタスロット
１９２・・・・レンズ・アダプタ差し込み
２・・・・・・有線式の取り合い装置
２１・・・・・外付けレンズ標準スロット
２２・・・・・電源信号線
２３・・・・・携帯式電子装置標準差し込み
２４・・・・・携帯式電子装置アダプタ
２５・・・・・外付けレンズ着脱式固定台
３・・・・・・外付け式撮影・撮像レンズ
４・・・・・・携帯式電子装置
４１・・・・・外付けレンズスロット
５・・・・・・無線通信信号
【図１】
0003110282.tif 000003
【図２】
0003110282.tif 000004
【図３】
0003110282.tif 000005
【図４】
0003110282.tif 000006